【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
局所的に生成された電力の有効性を考慮して、ＡＣグリッド（１３）に接続された双方向バッテリコンバータ（１１）を動作させる方法であって、
−  入力側に接続されたバッテリ（１４）に電力を送り込むことおよび前記バッテリ（１４）から電力を出力することに関して、前記バッテリ（１４）の充電状態および出力側で利用可能な電力に依存して、前記バッテリコンバータ（１１）の複数の動作モード（１、３、４、５、１０、２０）を定義するステップと、
−  前記バッテリ（１４）の前記充電状態に対して複数の閾値（ＡからＧ）を定義するステップと、
−  第１の下側閾値（Ｆ）がアンダーシュートされる場合に、局所的な電力需要が前記局所的に生成された電力によってカバーされない場合および／または前記ＡＣグリッド（１３）に電力の大域的な供給不足が存在する場合電力が前記バッテリ（１４）から出力され、前記局所的に生成された電力が前記局所的な電力需要を超える場合および／または前記ＡＣグリッド（１３）に電力の大域的な供給過剰が存在する場合電力が前記バッテリ（１４）に送り込まれる、第１の動作モード（１）から、第２の動作モード（３）に変更するステップと、
を含む方法において、
−  前記第２の動作モード（３）で、電力が前記バッテリ（１４）から出力されない、または前記局所的な電力需要がまったくカバーされない場合に限り電力が前記バッテリ（１４）から出力され、局所的に生成された電力が利用可能である場合および／または前記ＡＣグリッド（１３）に電力の大域的な供給過剰が存在する場合電力が前記バッテリ（１４）に送り込まれることと、
−  前記第１の下側閾値（Ｆ）を下まわる、第２の下側閾値（Ｄ）を下まわる充電状態（ＳＯＣ）の場合に、電力が前記出力側で利用可能である場合、前記バッテリ（１４）は、前記第１の下側閾値（Ｆ）以下である、第１の上側閾値（Ｅ）に到達するまで送り込まれる電力によって充電され、前記第１の上側閾値（Ｅ）と前記第２の下側閾値（Ｄ）との間の第１の差分（Ｇｒｉｄ  Ｒｅｓ）は事前に定義された第１の期間バッテリコンバータ（１１）の待機消費をカバーするように選択されることと
を特徴とする方法。
【請求項２】
請求項１に記載の方法において、前記第１の上側閾値（Ｅ）に到達するまで前記バッテリ（１４）が充電される場合に、前記バッテリコンバータ（１１）は最適化された効率で動作することを特徴とする方法。
【請求項３】
請求項１または２に記載の方法において、前記第２の動作モード（３）で前記局所的な電力需要がまったくカバーされない場合電力が前記バッテリ（１４）から出力され、前記第２の下側閾値（Ｄ）を下まわる第３の下側閾値（Ｃ）がアンダーシュートされる場合に、前記第２の動作モード（３）から、前記バッテリ（１４）からの電力が前記バッテリコンバータ（１１）の待機消費をカバーするためにだけ使用され、前記出力側で電力が利用可能である場合電力が前記バッテリ（１４）に送り込まれる、第３の動作モード（２０）に変更がなされることを特徴とする方法。
【請求項４】
請求項３に記載の方法において、前記第２の下側閾値（Ｄ）と前記第３の下側閾値（Ｃ）との間の第２の差分（Ｂｕ  Ｒｅｓ）は、前記第２の動作モード（３）におけるバックアップ電力動作（３０）のための事前に定義されたエネルギー量をカバーすることを特徴とする方法。
【請求項５】
請求項３または４に記載の方法において、前記第３の下側閾値（Ｃ）を下まわる第４の下側閾値（Ｂ）がアンダーシュートされる場合に、前記バッテリコンバータ（１１）はスイッチを切られることを特徴とする方法。
【請求項６】
請求項５に記載の方法において、前記第４の下側閾値（Ｂ）を上まわる最小の下側閾値（ＣまたはＤ）と前記第４の下側閾値（Ｂ）との間の第３の差分（Ｂａｔ  Ｒｅｓ）は事前に定義された第２の期間前記バッテリコンバータ（１１）の前記待機消費をカバーすることを特徴とする方法。
【請求項７】
請求項５または６に記載の方法において、前記第４の下側閾値（Ｂ）と、前記バッテリコンバータ（１１）の少なくとも手動の再起動がまだ可能である、第５の下側閾値（Ａ）との間の第４の差分（Ｐｒｏｔ  Ｒｅｓ）は、事前に定義された第３の期間前記バッテリ（１４）の自己放電をカバーすることを特徴とする方法。
【請求項８】
請求項１乃至７の何れか１項に記載の方法において、前記第１の下側閾値（Ｆ）を上まわる第６の下側閾値（Ｇ）がアンダーシュートされる場合に、前記局所的な電力需要が局所的に生成された電力によってカバーされない場合および電力の大域的な供給不足が存在する場合電力が前記バッテリ（１４）から出力され、前記局所的に生成された電力が前記局所的な電力需要を超える場合および電力の大域的な供給過剰が存在する場合電力が前記バッテリ（１４）に送り込まれる、第４の動作モード（４）から、前記第１の動作モード（１）に、前記変更がなされ、前記第１の動作モード（１）において電力の大域的な供給不足が存在する場合電力が前記バッテリ（１４）から出力され、前記局所的に生成された電力が前記局所的な電力需要を超える場合および電力の大域的な供給過剰が存在する場合電力が前記バッテリ（１４）に送り込まれることを特徴とする方法。
【請求項９】
請求項８に記載の方法において、前記第６の下側閾値（Ｇ）と前記第１の下側閾値（Ｆ）との間の第５の差分（Ｆｕｎｃ  Ｒｅｓ）は、事前に定義された第４の期間、特定の平均的な正の制御電力を提供することを特徴とする方法。
【請求項１０】
請求項８または９記載の方法において、前記第６の下側閾値（Ｇ）を上まわる第７の下側閾値（Ｈ）がアンダーシュートされる場合に、局所的な電力需要が局所的に生成された電力によってカバーされない場合および／または電力の大域的な供給不足が存在する場合電力が前記バッテリ（１４）から出力され、電力の大域的な供給過剰が存在する場合電力が前記バッテリ（１４）に送り込まれる、第５の動作モード（５）から、前記第４の動作モード（４）に変更がなされることを特徴とする方法。
【請求項１１】
請求項１０に記載の方法において、前記バッテリの最大充電（ＳＯＣ１００％）と前記第７の下側閾値（Ｈ）との間の第６の差分（Ｓｔｏ  Ｒｅｓ）は、事前に定義された第５の期間、特定の平均的な負の制御電力を提供することを特徴とする方法。
【請求項１２】
請求項１乃至１１の何れか１項に記載の方法において、少なくとも１つの閾値（Ｆ、Ｅ、Ｄ）は、夏（７）に向かって下げられ、夏（７）の後に再び上げられること、または少なくとも１つの閾値（Ｄ、Ｅ、Ｆ）は、天気予報に依存して定義されることを特徴とする方法。
【請求項１３】
請求項１乃至１２の何れか１項に記載の方法において、アンダーシュートが２つの動作モード間（２０、１０；３、２０；１、３；４、１；５，４）の変更をもたらす、少なくとも１つの下側閾値（Ｂ、Ｃ、Ｆ、Ｇ、Ｈ）は、前記下側閾値（Ｂ、Ｃ、Ｆ、Ｇ、Ｈ）以上であって、オーバーシュートが前記同じ動作モード間（１０、２０；２０、３；３、１；１、４；４、５）の反対方向への変更をもたらす、上側閾値を割り当てられることを特徴とする方法。
【請求項１４】
接続されたバッテリ（１４）の前記充電状態（ＳＯＣ）を検出する測定装置を備え、請求項１乃至１３の何れか１項に記載の方法を実行するコントローラを備えることを特徴とするバッテリコンバータ（１１）。
【請求項１５】
請求項１４に記載のバッテリコンバータ（１１）において、前記バッテリコンバータ（１１）はＡＣグリッド（１３）またはＡＣグリッド（１３）に接続され得るアイランドグリッド（１６）への直結のためのＤＣ／ＡＣコンバータ、または、前記出力側でＡＣグリッド（１３）に接続されたＤＣ／ＡＣコンバータ（２２）の入力側ＤＣリンク回路（２１）への接続のためのＤＣ／ＤＣコンバータにおいて、少なくとも１つのさらなる電力源が前記バッテリコンバータ（１１）と並列に前記ＤＣリンク回路（２１）に接続され得る、ＤＣ／ＤＣコンバータであることを特徴とするバッテリコンバータ（１１）。